【手続補正書】
【提出日】平成15年11月5日(2003.11.5)
【手続補正１】
【補正対象書類名】明細書
【補正対象項目名】特許請求の範囲
【補正方法】変更
【補正の内容】
【特許請求の範囲】
【請求項１】
バックプレーンインタフェースと、
該バックプレーンインタフェースに結合されたパケット処理エンジンと、
各々が、該パケット処理エンジンに結合されると共に単一のアップコンバータによってＮ本の隣接下りチャネルのうちの１つをサポートすると共に、各々が複数の上りチャネルをもサポートする、複数のメディアアクセス制御（ＭＡＣ）回路と、
からなるケーブルモデム終端システム用回路。
【請求項２】
複数の前記ＭＡＣ回路の各々が、データ・オーバー・ケーブル・サービス・インタフェース仕様（ＤＯＣＳＩＳ）規格に適合するＭＡＣ回路からなる請求項１に記載のケーブルモデム終端システム用回路。
【請求項３】
前記アップコンバータはＹ＊Ｎ ＭＨｚの帯域幅を有し、ここにＹはＮ本の下りチャネルの各々の帯域幅である請求項１に記載のケーブルモデム終端システム用回路。
【請求項４】
さらに複数のディジタル受信器を含んでなり、各該ディジタル受信器は、前記複数のＭＡＣ回路のうちの選択された１つに１つの上りチャネルを提供する請求項１に記載のケーブルモデム終端システム用回路。
【請求項５】
単一の下りポートおよび複数の上りポートをさらに含む請求項１に記載のケーブルモデム終端システム用回路。
【請求項６】
前記下りポートは全ての下りチャネルを通過させ、各前記上りポートは、下りチャネルの各々について１またはそれ以上の上りチャネルを通過させる請求項５に記載のケーブルモデム終端システム用回路。
【請求項７】
各前記上りポートと連携するスプリッタをさらに含んでなる請求項５に記載のケーブルモデム終端システム用回路。
【請求項８】
下りポートと、
複数の上りポートと、
バックプレーンインタフェースと、
該バックプレーンインタフェースに結合されたパケット処理エンジンと、
各々が該パケット処理エンジンに結合される、複数のメディアアクセス制御（ＭＡＣ）回路と、
複数の下りチャネルをサポートする下り信号パスであって、各該下り信号パスが、
該複数の下りチャネルのうちの１つを提供すべく前記複数のＭＡＣ回路のうちの対応する１つに各々が結合される複数の下り変調器と、
前記複数の下りチャネルを組み合わせるように、前記複数の下り変調器に結合されるコンバイナと、
前記下りチャネルを複数の隣接周波数帯域へアップコンバートするアップコンバータであって、前記下りポートに結合されるアップコンバータと、からなる複数の下り信号パスと、
複数の上り信号パスであって、各該上り信号パスが、
前記複数の上りポートのうちの１つに結合され、複数の上りチャネルに分離するスプリッタと、
各々が前記スプリッタの出力に結合される複数の受信器と、
各々がこれら受信器の１つに結合すると共に前記ＭＡＣ回路のうちの異なる１つに結合する複数の復調器と、からなる複数の上り信号パスと、
からなるケーブルモデム終端システム用回路。
【請求項９】
前記複数のＭＡＣ回路の各々が、データ・オーバー・ケーブル・サービス・インタフェース仕様（ＤＯＣＳＩＳ）規格に適合するＭＡＣ回路からなる請求項８に記載のケーブルモデム終端システム用回路。
【請求項１０】
前記アップコンバータはＹ＊Ｎ ＭＨｚの帯域幅を有し、ここにＮは下りチャネルの数をなし、ＹはそのＮチャネルの各々の帯域幅をなす請求項８に記載のケーブルモデム終端システム用回路。
【請求項１１】
単一のケーブルモデム終端システムからネットワークを介して複数のデータチャネルを伝送するための方法において、
複数の下りデータチャネルを個別に変調する段階と、
前記データチャネルを組合せて下り信号を形成する段階と、
単一のアップコンバータによって前記複数のデータチャネルを有する前記下り信号をアップコンバートする段階と、
を有する方法。
【請求項１２】
前記のデータチャネルを組合わせる段階には、隣接周波数帯域を有するデータチャネルを組合せる段階が含まれる請求項１１に記載の方法。
【請求項１３】
前記の下り信号をアップコンバートする段階には、信号を９０〜８７０ＭＨｚ範囲の帯域幅までアップコンバートする段階が含まれる請求項１１に記載の方法。
【請求項１４】
前記の複数の下りデータチャネルを個別に変調する段階には、データ・オーバー・ケーブル・サービス・インタフェース仕様（ＤＯＣＳＩＳ）規格を遵守する複数のデータチャネルを個別に変調する段階が含まれる請求項１１に記載の方法。
【請求項１５】
単一のケーブルモデム終端システムとデータ通信するための方法において、
下り方向では、
複数の下りデータチャネルを個別に変調する段階と、
前記データチャネルを組合せて下り信号を形成する段階と、
単一のアップコンバータによって前記複数のデータチャネルを有する前記下り信号をアップコンバートする段階と、を有し、
上り方向での複数のポートの各々について、
複数の上りチャネルを分離する段階と、
前記上りチャネルを個別にダウンコンバートし、かつ復調する段階と、
を有する方法。
【請求項１６】
前記のデータチャネルを組合せる段階には、隣接周波数帯域を有するデータチャネルを組合せる段階を含む請求項１５に記載の方法。
【請求項１７】
前記の下り信号をアップコンバートする段階には、信号を９０〜８７０ＭＨｚ範囲の帯域幅までアップコンバートする段階を含む請求項１５に記載の方法。
【請求項１８】
前記の複数の下りデータチャネルを個別に変調する段階は、データ・オーバー・ケーブル・サービス・インタフェース仕様（ＤＯＣＳＩＳ）規格を遵守する複数のデータチャネルを個別に変調する段階を含む請求項１５に記載の方法。
【請求項１９】
下りポートと、
複数の上りポートと、
パケット処理エンジンと、
前記複数の上りポートと前記パケット処理エンジンとの間に結合された複数の上りデータパスと、
複数の下りデータパスと、
前記複数の下りデータパスおよび前記下りポートに対し通信可能に結合すると共に、前記複数のデータパスから複数の隣接下りチャネルをアップコンバートするのに充分な帯域幅を有する単一の共有アップコンバータと、
からなるケーブルモデム終端システム用回路。
【請求項２０】
前記複数の上りデータポートが各々、複数の上りチャネルを収容する請求項１９に記載のケーブルモデム終端システム用回路。
【請求項２１】
前記複数の上りデータパスが各々、スプリッタと、該スプリッタに結合された複数の受信器とを含んでなる請求項１９に記載のケーブルモデム終端システム用回路。
【請求項２２】
複数のメディアアクセス制御（ＭＡＣ）回路をさらに含んでなり、各該ＭＡＣ回路は、１つの上りデータポートと連携する上りデータパスおよび下りデータパスの１つに結合する請求項１９に記載のケーブルモデム終端システム用回路。
【請求項２３】
前記ＭＡＣ回路の各々が、データ・オーバー・ケーブル・サービス・インタフェース仕様（ＤＯＣＳＩＳ）規格に適合するＭＡＣ回路からなる請求項２２に記載のケーブルモデム終端システム用回路。
【請求項２４】
前記複数のデータパスからの信号を組合せる前記アップコンバータに結合されるコンバイナをさらに含んでなる請求項１９に記載のケーブルモデム終端システム用回路。
【請求項２５】
前記アップコンバータはＹ＊Ｎ ＭＨｚの帯域幅を有し、ここにＮは下りチャネルの数をなし、ＹはそのＮチャネルの各々の帯域幅をなす請求項１９に記載のケーブルモデム終端システム用回路。
【請求項２６】
ヘッドエンドと、
光ファイバを介し該ヘッドエンドに結合し、光信号と電気信号との間で変換を行う少なくとも１つの光分配ノードと、
加入者機器のための接続を提供し、少なくとも１つの光分配ノードに結合した少なくとも１本の同軸ケーブルを含む分配ネットワークと、
からなるシステムであって、
前記ヘッドエンドが、単一の回路にて、下りマルチチャネルおよび上りマルチチャネルをサポートするマルチチャネルケーブルモデム終端システムを含むシステム。
【請求項２７】
前記マルチチャネルケーブルモデム終端システムが、
バックプレーンインタフェースと、
該バックプレーンインタフェースに結合したパケット処理エンジンと、
各々が該パケット処理エンジンに結合し、各々が単一のアップコンバータによってＮ本の隣接下りチャネルのうちの１つをサポートすると共に、各々が複数の上りチャネルをもサポートする、複数のメディアアクセス制御（ＭＡＣ）回路と、
からなる請求項２６に記載のシステム。
【請求項２８】
前記複数のＭＡＣ回路の各々が、データ・オーバー・ケーブル・サービス・インタフェース仕様（ＤＯＣＳＩＳ）規格に適合するＭＡＣ回路からなる請求項２７に記載のシステム。
【請求項２９】
前記アップコンバータはＹ＊Ｎ ＭＨｚの帯域幅を有し、ここにＹはＮ本の下りチャネルの各々の帯域幅である請求項２７に記載のシステム。
【請求項３０】
さらに複数のディジタル受信器を含んでなり、各該ディジタル受信器が、前記複数のＭＡＣ回路のうちの選択された１つに１つの上りチャネルを提供する請求項２７に記載のシステム。
【請求項３１】
単一の下りポートおよび複数の上りポートをさらに含む請求項２７に記載のシステム。
【請求項３２】
前記下りポートは全ての下りチャネルを通過させ、各前記上りポートは、下りチャネルの各々について１またはそれ以上の上りチャネルを通過させる請求項３１に記載のシステム。
【請求項３３】
各前記上りポートと連携するスプリッタをさらに含んでなる請求項３１に記載のシステム。
【手続補正２】
【補正対象書類名】明細書
【補正対象項目名】００２６
【補正方法】変更
【補正の内容】
【００２６】
スプリッタ１１８−１，…，１１８−Ｋは、そのそれぞれの上りポート１１６−１，…，１１６−Ｋで受信したチャネル信号を分離する。一実施形態においては、スプリッタ１１８−１，…，１１８−Ｋは各々、Ｎ個の出力、例えば４個の出力またはその他の適切な数の出力を提供する。Ｎ個の出力の各々は、対応する受信器／復調器の対を通して、対応するＭＡＣ回路の入力に結合される。例えば、図１Ｂ−２に示すように、スプリッタ１１８−１は、例えば４ＭＨｚのＩＦ信号といった中間周波数までダウンコンバートするため、受信器１２０−１−１，…，１２０−１−Ｎに対してＮ個の出力を提供する。一実施形態においては、これらの受信器１２０−１−１，…１２０−１−Ｎは、光分配ノード（図４参照）からの光ファイバ接続から、ＣＭＴＳカード上でディジタル化された上り変調データ信号を受信するようになっているディジタル受信器である。ディジタル受信器は、回路１００内に容易に組込まれ、一実施形態では、ディジタル受信器の全てが、単一の特定用途向け集積回路（ＡＳＩＣ）の中に組込まれている。さらに、受信器１２０−１−１，…，１２０−１−Ｎは、それぞれ復調器１２２−１−１，…，１２２−１−Ｎに結合されている。復調器１２２−１−１，…，１２２−１−Ｎがそれぞれ、ＭＡＣ回路１０６−１，…，１０６−Ｎに結合されている。その他の受信器／復調器対の各々は、図示する通りに接続される。図１Ｂ−２において、受信器は、１２０−Ｘ−Ｙと表され、復調器は１２２−Ｘ−Ｙと表わされている。各々の場合において、参照番号中のＸは、受信器または復調器について連携する上りポートを表し、Ｙは、連携するＭＡＣ回路を表す。かくして各ＭＡＣ回路は、１つの下りチャネルおよびＫ本の上りチャネルを処理する。回路１００は、Ｎ本の下りチャネルとＫ＊Ｎ本の上りチャネルを処理する。